(57)【要約】【課題】光源を配置固定する回路基板は同一のものを使いつつ多種多様の文字板の絵柄やデザインに合わせた光源の配置固定が可能となる光源付き時計を提供する。【解決手段】少なくとも、光源を有する回路基板と、文字板部と、ケース部と、蓋部と、ムーブメントと、電源のスイッチ部により構成され、前記文字板部を前記光源により照明する光源付き時計において、前記回路基板の光源接続用配線パターンのプラス電極配線パターンとマイナス電極配線パターンを線状に形成した光源付き時計とする。【選択図】      図３
2004309279.tif 000002
【特許請求の範囲】
【請求項１】
少なくとも、光源を有する回路基板と、文字板部と、ケース部と、蓋部と、ムーブメントと、電源のスイッチ部により構成され、前記文字板部を前記光源により照明する光源付き時計において、前記回路基板の光源接続用配線パターンのプラス電極配線パターンとマイナス電極配線パターンを線状に形成したことを特徴とする光源付き時計。
【請求項２】
前記回路基板の光源接続用配線パターンを、プラス電極配線パターンとマイナス電極配線パターンを交互にかつ線状に複数形成したことを特徴とする特徴とする請求項１記載の光源付き時計。
【請求項３】
前記回路基板の光源接続用配線パターン上の任意の位置に複数個の光源を接続配置したことを特徴とする請求項１又は２記載の光源付き時計。
【発明の詳細な説明】
【０００１】
【発明の属する技術分野】
本発明は光源付き時計に関する。
【０００２】
【従来の技術】
夜間や暗い環境において、時間を確認する為、時計に光源を内蔵し、該光源を発光させることで文字板を照明して時字や針を読みとる構成の時計が製品化されている。
【０００３】
前記構成の時計は、単に時字や針を読みとるだけでなく、文字板のデザインに合わせて光源を設置し、光源からの光の見え方に変化や動きを持たせた装飾時計などがある。（例えば、特許文献１参照）
【０００４】
図１は従来技術の光源付き時計の断面図である。この時計は、内部に文字板１ａと正面側に設けられた照明カバー１ｂとを有するケース１と、文字板１ａの裏面に固定され、その時針軸２ａ、分針軸２ｂ、秒針軸２ｃを文字板に設けた貫通孔を介して文字板１ａの前面側に突出するムーブメント２と、文字板１ａに設けられた孔にそれぞれ固定する発光ダイオード３と、時針軸２ａに固着する時針５と分針軸２ｂに固着する分針６と、秒針軸２ｃに固着する秒円板７とにより構成されている。前記秒円板７は透光性材料で形成された透過板７ａと、透過板７ａの裏面に固着する回折格子板７ｂにより構成されている。
【０００５】
前記発光ダイオード３から発せられた光は、回折格子板７ｂを通過する際に回折され、その干渉光によって発光ダイオード３の周囲に複数の光点からなる回折像が整列して見えることになる。よって、この回折格子板７ｂを時計正面側からみると、発光ダイオード３の近いところが明るく光り、遠いところが暗くぼんやりとしたものとなり、光による演出効果を得るというものである。
【０００６】
【特許文献１】
特開２００１−２４２２６４号（第２頁−３頁、図１）
【０００７】
【発明が解決しようとする課題】
前記従来技術の構成では、例えば、時計の文字板の絵柄やデザインに合わせて光源を配置固定する場合、その位置関係を考慮して、光源を搭載する基板の形状や配線等の設計変更を行う必要がある。文字板の絵柄やデザインは多種多様であり、それらに一つ一つに合わせた設計変更を行うことは効率が悪く、製品自体のコストアップを招くものである。
【０００８】
本発明の目的は、上記問題点に鑑み、光源を配置固定する回路基板は同一のものを使いつつ多種多様の文字板の絵柄やデザインに合わせた光源の配置固定が可能となる光源付き時計を提供するものである。
【０００９】
【課題を解決するための手段】
少なくとも、光源を有する回路基板と、文字板部と、ケース部と、蓋部と、ムーブメントと、電源のスイッチ部により構成され、前記文字板部を前記光源により照明する光源付き時計において、前記回路基板の光源接続用配線パターンのプラス電極配線パターンとマイナス電極配線パターンを線状に形成した光源付き時計とする。
【００１０】
さらに、前記回路基板の光源接続用配線パターンを、プラス電極配線パターンとマイナス電極配線パターンを交互にかつ線状に複数形成した光源付き時計とする。
【００１１】
前記回路基板の光源接続用配線パターン上の任意の位置に複数個の光源を接続配置した光源付き時計とする。
【００１２】
【発明の実施の形態】
本発明の第一実施形態について図２から図４を参照して説明する。図２は本発明の第一実施形態に係わる光源付き時計の断面図である。図３は本発明の第一実施形態に係わる光源付き時計の回路基板の平面図である。図４は本発明の第一実施形態に係わる光源付き時計の文字板の平面図である。
【００１３】
８はケースで、内部に文字板９、ムーブメント１０、回路基板１１、電池１２が内蔵されている。ムーブメント１０は文字板９の貫通孔を介し突出した針軸１０ａを有し、該針軸１０ａには時・分・秒それぞれの針１３が固定されている。１４は文字板９上方に配置された風防である。１５は裏蓋で、ケース８と裏蓋１５は電池１２の交換ができるように取り外し可能な構造で固定されている。前記回路基板１１上には光源１６が複数個搭載されており、ケース８外側のスイッチ部（不図示）の操作により前記光源１６を点灯させ、文字板９の裏面側から文字板９の一部若しくは全体を照明する構成のものである。前記光源１６は、例えば、発光ダイオード（ＬＥＤ）である。
【００１４】
回路基板１１には図３に示すように、プラス電極配線パターン１１ａとマイナス電極配線パターン１１ｂの光源接続用配線パターンが形成されている。該プラス電極配線パターン１１ａとマイナス電極配線パターン１１ｂは、回路基板１１の外周に沿って円状に形成されており、光源１６がそれぞれの配線パターン上に、プラス・マイナスの電極を合わせて配置固定されている。前記光源１６の固定位置は、前記プラス電極配線パターン１１ａとマイナス電極配線パターン１１ｂ上であればどの位置でも配置固定が可能な構成である。よって、文字板９の絵柄やデザインに合わせて任意の位置に配置固定することが可能な構成となる。
【００１５】
本発明の第一実施形態では、前記回路基板１１に４つの光源１６を配置固定している。前記４つの光源１６の固定位置は、図４に示す文字板９の時字９ａの直下となる位置で、１２時、３時、６時、９時の位置に固定されている。時字９ａは文字板９に貫通孔を設けて形成されており、光源１６からの光を時字９ａに合わせて透過させることで時字９ａの形状に合わせ照明可能となる。また、透光性部材で文字板９を形成し、時字９ａの形状のみ光の透過が可能なように印刷等による処理をすることで同様の効果を得ることができる。
【００１６】
前記４つの光源１６は、それぞれ発光色が違うものを配置しても良く、例えば、１２時位置は赤、３時位置は緑、６時位置は青、９時位置は白といった構成にして照明効果を演出することもできる。また、時字９ａ部分に透光性の色つきフィルムを貼り、光源１６には白色発光するものを用いれば、光源１６の発光色をそれぞれ変えて配置しなくとも前記同様の照明効果を演出することができる。
【００１７】
また、前記プラス電極配線パターン１１ａとマイナス電極配線パターン１１ｂは、回路基板１１の外周に沿って円状に形成されているので、１時から１２時全ての時字９ａ直下に配置し時字９ａの全てを照明させることも可能である。
【００１８】
つづいて、本発明の第二実施形態について図５から図７を参照して説明する。図５は本発明の第二実施形態に係わる光源付き時計の断面図である。図６は本発明の第二実施形態に係わる光源付き時計の回路基板の平面図である。図７は本発明の第二実施形態に係わる光源付き時計の文字板の平面図である。
【００１９】
本発明の第二実施形態に係わる光源付き時計の基本構成については、前述の第一実施形態と同様である。ムーブメント１０は文字板１７の絵柄に合わせ、貫通孔を介して突出する針軸１０ａの位置をずらして配置されている。１８は回路基板で、該回路基板１８上には光源１６が複数個搭載されている。前記光源１６は文字板１７の絵柄に合わせて配置することが可能な構成であり、ケース８外側のスイッチ部（不図示）の操作により前記光源１６を点灯させ、文字板１７の裏面側から文字板１７の一部若しくは全体を照明する構成のものである。前記光源１６は、例えば、発光ダイオード（ＬＥＤ）である。
【００２０】
回路基板１８には図６に示すように、プラス電極配線パターン１８ａとマイナス電極配線パターン１８ｂの光源接続用配線パターンが形成されている。該プラス電極配線パターン１８ａとマイナス電極配線パターン１８ｂは、それぞれ櫛歯状に形成され、噛み合わせられた形態で、プラス電極配線パターン１８ａとマイナス電極配線パターン１８ｂが交互にかつ線状に複数形成されている。これにより、前記光源１６の固定位置は、前記プラス電極配線パターン１８ａとマイナス電極配線パターン１８ｂ上であればどの位置でも配置固定が可能な構成となり、文字板１７の絵柄やデザインに合わせて任意の位置に配置固定することが可能な構成となる。
【００２１】
図７に示す文字板１７上には花火の絵柄（Ａ，Ｂ，Ｃ，Ｄ）がデザインされている。また、前記回路基板１８には３つの光源１６を配置固定している。前記３つの光源１６は、図７に示す文字板１７の花火の絵柄Ａ、Ｂ、Ｃそれぞれの直下となる位置に固定されおり、光源１６の点灯により前記花火の絵柄Ａ、Ｂ、Ｃを下方から照明するものである。前記花火の絵柄Ａ、Ｂ、Ｃはその形状に合わせ貫通孔を設けて形成されており、光源１６からの光を前記花火の絵柄Ａ、Ｂ、Ｃに合わせて透過させることでその形状に合わせて照明可能となる。また、透光性部材で文字板１７を形成し、前記花火の絵柄Ａ、Ｂ、Ｃの形状のみ光の透過が可能なように印刷等による処理をすることで同様の効果を得ることができる。尚、本実施形態では、前記花火の絵柄Ａ、Ｂ、Ｃのみが照明され、前記花火の絵柄Ｄは照明されない構成であるが、回路基板１８上のプラス電極配線パターン１８ａ、マイナス電極配線パターン１８ｂを花火の絵柄Ｄ直下付近まで形成することにより、花火の絵柄Ｄも照明することが可能となる。
【００２２】
前記３つの光源１６は、それぞれ発光色が違うものを配置すれば、さらなる照明効果を演出することができる。また、花火の絵柄Ａ、Ｂ、Ｃ部分に透光性の色つきフィルムを貼り、光源１６には白色発光するものを用いれば、光源１６の発光色をそれぞれ変えて配置しなくとも前記同様の照明効果を演出することができる。
【００２３】
前述の第一実施形態及び第二実施形態は、いずれもアナログ時計を例に説明したが、デジタル時計に適用し同様の効果を得ることもできる。
【００２４】
【発明の効果】
回路基板上の光源接続用配線パターンを線状に形成し、さらに光源接続用配線パターンを交互にかつ線状に複数形成したので、複数個の光源を任意の位置に配置可能となる。
【００２５】
回路基板上に複数個の光源を任意の位置に配置できるので文字板の絵柄やデザインに合わせて回路基板を設計する必要が無くなり、回路基板は同一のものを使いつつ多種多様の文字板の絵柄やデザインに対応した光源の配置固定が可能となる。よってコストの削減ができる。
【図面の簡単な説明】
【図１】従来技術の光源付き時計の断面図。
【図２】本発明の第一実施形態に係わる光源付き時計の断面図
【図３】本発明の第一実施形態に係わる光源付き時計の回路基板の平面図。
【図４】本発明の第一実施形態に係わる光源付き時計の文字板の平面図。
【図５】本発明の第二実施形態に係わる光源付き時計の断面図。
【図６】本発明の第二実施形態に係わる光源付き時計の回路基板の平面図。
【図７】本発明の第二実施形態に係わる光源付き時計の文字板の平面図。
【符号の説明】
１    ケース
１ａ  文字板
１ｂ  照明カバー
２    ムーブメント
２ａ  時針軸
２ｂ  分針軸
２ｃ  秒針軸
３    発光ダイオード
５    時針
６    分針
７    秒円板
７ａ  透過板
７ｂ  回折格子板
８    ケース
９    文字板
９ａ  時字
１０    ムーブメント
１０ａ  針軸
１１    回路基板
１１ａ  プラス電極配線パターン
１１ｂ  マイナス電極配線パターン
１２    電池
１３    針
１４    風防
１５    裏蓋
１６    光源
１７    文字板
１８    回路基板
１８ａ  プラス電極配線パターン
１８ｂ  マイナス電極配線パターン
【図１】
2004309279.tif 000003
【図２】
2004309279.tif 000004
【図３】
2004309279.tif 000005
【図４】
2004309279.tif 000006
【図５】
2004309279.tif 000007
【図６】
2004309279.tif 000008
【図７】
2004309279.tif 000009